(57)【要約】      （修正有）【課題】本発明は、耐振性の向上を図りながら、製造し易く、使用される基板への位置決めが容易な取付体型ケース入りコンデンサを提供するものである。特に、複数のコンデンサをユニット構成にするのに適したケース入りコンデンサを提供する。【解決手段】外部取付体に、底面側とそれ以外の場所とで固定するケース入りコンデンサにおいて、このコンデンサケースの底面中央部に突起部を設け、この突起部に嵌合し、このコンデンサケース底面側にツバ部を設けたこの突起部に対応したへこみ部や貫通穴部を設けた嵌合部材を、先の外部取付体に設けた凹部または穴部にも嵌合するようにすることを特徴とするケース入りコンデンサを提供する。【選択図】図１
2005353894.tif 000002
【特許請求の範囲】
【請求項１】
取付体に、底面側とそれ以外の場所とで固定するケース入りコンデンサにおいて、
前記ケース底面中央部に設けた突起部と、
前記ケース底面側にツバ部を設け、前記突起部に対応したへこみ部または貫通穴部を設けて前記突起部に嵌合し、前記取付体に設けた凹部または穴部に嵌合する嵌合部材と、
を持つことを特徴とするケース入りコンデンサ。
【請求項２】
取付体に、底面側とそれ以外の場所とで固定するケース入りコンデンサにおいて、
前記ケース底面中央部に設けた突起部と、
前記ケース底面側にツバ部を設け、前記突起部に対応したへこみ部または貫通穴部を設けて前記突起部に嵌合し、前記取付体に設けた凹部または穴部に嵌合する嵌合部材と、
前記ツバ部の周辺と前記ケースとを一体的に被覆する熱収縮スリーブと、
を持つことを特徴とするケース入りコンデンサ。
【発明の詳細な説明】
【技術分野】
【０００１】
本発明は，筐体や基板等の取付体へ固定するケース入りコンデンサに関する。特に、複数のコンデンサをユニット構成にするのに適したケース入りコンデンサに関する。
【背景技術】
【０００２】
従来、ケース入りコンデンサを筐体や基板等の取付体に取り付ける場合、図６のようにいわゆるスタッドボルトケースタイプと呼ばれるケース入りコンデンサ１３の底面部より一体的に伸びたネジ付突起部１４に、この取付体１１に予めスタッドボルト部挿入可能な貫通穴１５を設け、この取付体１１を介してケース底面の反対方向からナット１６等を用い固定する方法がある。
また、図７のように、筐体や基板等の取付体１１にコンデンサケース１の径よりも若干大きい穴を開け、コンデンサの側面に取付け脚８と呼ばれる金属製や樹脂製のバンド状の固定部品を取付け、この取付け脚８をネジ締めや半田付け等により取付体１１に固定する方法がある。
そして、複数のコンデンサをユニット化する場合、上記の取付方法で単に複数並べる方法のほかに、図８に示すように、並列したコンデンサ１３を、ゴム板１７を介して二枚の取付板１８ではさむ方法などがある（たとえば、特許文献１）。
【特許文献１】実開平７−２２５３６号公報
【発明の開示】
【発明が解決しようとする課題】
【０００３】
スタッドボルトケースでは、ケース入りコンデンサの位置は、筐体や基板等の取付体の貫通穴にスタッドボルト部を挿入するので、中心の位置決めが可能となるが、コンデンサのリード端子の位置方向は、ケース入りコンデンサを回転させてネジ締めで確定することになるので、ネジ締めにともなってコンデンサが余分に回転してしまいリード端子の位置方向が定まらない場合が生ずる。また、ケース入りコンデンサの底部の反対側よりナット等にて固定するため、レンチやスパナ等の工具を使ってネジ締めを行うのに十分な作業スペースが必要となる。また、スタッドボルトの径または取付体に設けた挿入穴径のどちらかに合わせる必要があり、設計的に制約されやすい。またスタッドボルト部がケースと一体となっているため取付体、固定用のナット等は絶縁材料を用いる必要がある場合がある。
図６のようないわゆるスタッドボルトケースタイプでのコンデンサ底面の固定や、図７のような、コンデンサの側面に取付け脚固定部品を取付けによる固定はいずれも一箇所による固定のために、耐振動性が有利ではないので、これらふたつの方法による二箇所の固定も考えられる。しかし、ネジ止め部分が増え、作業が繁雑になったり、また、ネジ止め部分が二箇所にわたると取付体の寸法誤差などによりネジ止め部分のどちらか弱い方にストレスが偏り、たとえば、振動によりスタッドボルトの付け根に振動疲労が蓄積され、最悪破断になる場合が発生したりする場合が生ずる。図８に示すように、並列したコンデンサを、ゴム板を介して二枚の取付板で単にはさむ方法は組立作業性の繁雑さや二箇所ネジ止めの弊害がないが、耐振動性が要求される場所には向かない。
【０００４】
本発明は、以上の欠点を改良し、耐振性の向上を図りながら、製造し易く、使用される基板への位置決めが容易な取付体型ケース入りコンデンサを提供するものである。特に、複数のコンデンサをユニット構成にするのに適したケース入りコンデンサを提供するものである。また、特に細長いコンデンサの、ユニット化に最適であるケース入りコンデンサを提供するものである。
【課題を解決するための手段】
【０００５】
本発明は、上記の課題を解決するために、取付体に、底面側とそれ以外の場所とで固定するケース入りコンデンサにおいて、前記ケース底面中央部に設けた突起部と、前記ケース底面側にツバ部を設け、前記突起部に対応したへこみ部または貫通穴部を設けて前記突起部に嵌合し、前記取付体に設けた凹部または穴部に嵌合する嵌合部材と、を持つことを特徴とするケース入りコンデンサを提供するものである。
また、取付体に、底面側とそれ以外の場所とで固定するケース入りコンデンサにおいて、前記ケース底面中央部に設けた突起部と、前記ケース底面側にツバ部を設け、前記突起部に対応したへこみ部または貫通穴部を設けて前記突起部に嵌合し、前記取付体に設けた凹部または穴部に嵌合する嵌合部材と、前記ツバ部の周辺と前記ケースとを一体的に被覆する熱収縮スリーブと、を持つことを特徴とするケース入りコンデンサを提供するものである。
【発明の効果】
【０００６】
以上の通り本発明によれば、耐震性に有利な二箇所止めにあたって、通常のネジ止め等の固定と嵌合固定との組み合わせのため、固定作業が簡素化できるし、取付体への固定に無理が生じにくい。
また、取付体へのケース底部の嵌合固定には、嵌合部材を介しているので、スタッドボルトケースのようなスタッドボルトの付け根に蓄積されるような振動疲労が発生しにくい。また、嵌合部分のコンデンサ部の設計と取付体設計は調整し易い。また、嵌合部材に絶縁材を用いると、取付体に対し絶縁性を確保できるし、なおかつ嵌合部材にツバ部を設けるので絶縁性をより確保できるし、コンデンサの軸方向の振動に対してより効果化的に耐振できる。
また、絶縁スリーブにより嵌合部材に設けたツバ部の周辺とコンデンサケースとを一体的に被覆すると、耐振性が向上するほか、嵌合部材がコンデンサ底面よりずり落ちることがない。
【発明を実施するための最良の形態】
【０００７】
以下、本発明の実施の形態を図面に基づいて説明する。
図１は、本発明のケース入りコンデンサの一例の断面図を示し、図２はその側面図を示している。
１はケースで、有底柱状であり、コンデンサ素子２が収納されている。コンデンサ素子２は、陽極箔と陰極箔を、電解紙をはさんで巻回したものである。また、真空蒸着等した金属化紙や金属化フィルムを巻回した構造のものの素子を用いてもよい。ケースは、特に限定はないが、腐食性が少なく、延性や展性にとんだ、たとえば、アルミ、鉄、銅、チタン、マグネシウムやそれらの合金等の金属が選ばれる。ケース１は上部をリング状に屈曲させて、蓋３を固定する。ケース１には絶縁性樹脂等で被覆する場合もある。蓋３は、絶縁樹脂製のポリフェニリンサルファイド、フェノール、またはポリプロピレン等からなり、蓋３を通してリード端子４が外部に引き出した構造になっている。そして、ケース１は熱収縮スリーブ５で被覆する。熱収縮スリーブ５は、塩化ビニール、ポリエチレンテレフタレート、ポリオレフィン等の熱により収縮性を持つチューブ状のものから選ばれる。熱収縮スリーブ５のこの場合の目的は、金属ケースの場合の絶縁被覆と、ラベル印刷用となる。熱収縮スリーブの加熱は１５０〜２５０℃程度、時間は１０〜６０秒程度で、ヒートガンによる熱風などでおこなう。複数のコンデンサの場合、熱風熱収縮はベルトラインまたはバッチ槽などで連続的にまたは一括的に処理することもできる。
【０００８】
６はケース１底面中央部に設けた突起部で、円柱形、円錐形、扁平形、角状等の形状とし、ネジ山加工、ローレット加工等処理を施してよい。突起部６は溶接やネジ接合などで別部材を付加してもよいが、ケースより一体的に設けるのが好ましい。
【０００９】
７はケース１底面に設けた嵌合部材で、ケース底面に設けた突起部６に嵌合するへこみ部または貫通穴部を設けるとともに、取付体に設けた凹部または穴部に嵌合するような外形にする。穴形状に合わせて円柱、円錐、扁平、角状等に形成するが、外部端子方向の調整しやすさの点から外形が円径体で円の中心がケース中心と一致するのが好ましい。ネジ山加工、ローレット加工等処理を施してよい。そして、嵌合部材を嵌合したときのケース底面側にはツバ部８を設ける。図３には嵌合部材の斜視図を示している。
嵌合部材７は、金属材でも構わないが、筐体や基板等の取付体への絶縁性が必要となる場合には絶縁樹脂が好ましく、ポリブチレンテレフタレート、ポリプロピレン、ポリフェニリンサルファイド等が用いられる。嵌合部材７はモールド成形のほか、外寸に合わせてシートを打ち抜く方法で、ツバ部と本体部の二枚構造で製造することもできる。ゴム板を積層した三枚構造等にしてもよい。
また、嵌合部材７の一部または全てを、対応する取付体の嵌合する凹部または穴部側に先に設けておいてもよい。
【００１０】
９は、取付け脚で、従来の金属や絶縁樹脂等からできたバンド状の固定部品等で、ケース１側面の、ケース底面とは離れたケースの周囲や、コンデンサの蓋３外面に取り付ける。
【００１１】
図４は、本発明のケース入りコンデンサの別実施例の断面図を示している。  
熱収縮スリーブ５で、嵌合部材７のツバ部８周辺とケース１とを一体的に被覆する。熱収縮スリーブ５は、塩化ビニール、ポリエチレンテレフタレート、ポリオレフィン等の熱により収縮性を持つチューブ状のものから選ばれるが、寸法安定性の面から加熱前後で長さ方向の変化率の少ないものが選ばれる。また、１０５℃以上の高温対応としては、電子線などによる架橋ポリオレフィンが好ましい。金属ケースの場合、露出されたケースの側面および上面至る部分も同熱収縮スリーブで同時に被覆することもできる。また、熱収縮スリーブをケース被覆用と固定用またはラベル印刷用と材質、膜厚または被覆範囲等を適宜選択して積層させてもよい。また、内面に接着剤付きの熱収縮スリーブを使用すると固定強度が向上する。
【００１２】
図５は、本発明のコンデンサを複数並べてユニット化した一例を示している。
取付け脚付きの各コンデンサ１３は、スタンド１０で隔てた取付体の上部取付体１１ａに設けた穴部へ挿入し、下部取付体１１ｂに設けた穴部に嵌合部材７を嵌合させる。次に、取付け脚９と上部取付体１１ａをネジ１２で固定する。また、取付け脚９を先に上部取付体１１ａに仮固定しておいてからコンデンサ１３を取付体に装着し、目的のリード端子方向に回転させてから、各ネジで固定してもよい。
【図面の簡単な説明】
【００１３】
【図１】本発明の実施の形態の断面図である。
【図２】本発明の図１の側面図である。
【図３】本発明の実施の形態の斜視図で、嵌合部材を示す。
【図４】本発明の別実施の形態の断面図である。
【図５】本発明の実施の形態のユニット化の例である。
【図６】従来例の断面図である。
【図７】従来例の別の断面図である。
【図８】従来例のユニット化の例である。
【符号の説明】
【００１４】
１…ケース、２…コンデンサ素子、３…蓋、４…リード端子、５…熱収縮スリーブ、６…突起部、７…嵌合部材、８…ツバ部、９…取付け脚、１０…スタンド、１１…取付体、１１ａ…上部取付体、１１ｂ…下部取付体、  １２…ネジ、１３…コンデンサ、１４…ネジ付き突起部、１５…貫通穴、１６…ナット、１７…ゴム板、１８…取付板。
【図１】
2005353894.tif 000003
【図２】
2005353894.tif 000004
【図３】
2005353894.tif 000005
【図４】
2005353894.tif 000006
【図５】
2005353894.tif 000007
【図６】
2005353894.tif 000008
【図７】
2005353894.tif 000009
【図８】
2005353894.tif 000010